(57)【特許請求の範囲】
【請求項１】
長さの短い第１のカードが挿着可能な第１のカード収納部と、この第１のカード収納部と横方向に並設され、第１のカードより長さの長い第２のカードが挿着可能な第２のカード収納部とを有するハウジングと、このハウジングに設けられ、前記第１のカード収納部に挿着された第１のカードを排出させる第１のカード排出手段と、前記第２のカード収納部に挿着された第２のカードを排出させる第２のカード排出手段とを備え、前記第１のカード排出手段は、第１のカードの挿入に伴いカード挿入方向に移動可能に配設された第１のスライド部材と、この第１のスライド部材をカード排出方向に付勢する第１の復帰ばねと、この第１の復帰ばねの付勢力に抗して前記第１のスライド部材をカード挿着位置に保持する第１のハート型カム溝及びこの第１のハート型カム溝と係合する第１の係合ピンとからなり、前記第１のハート型カム溝は前記ハウジングに前記第１のスライド部材の側方に並列して配設され、前記第２のカード排出手段は、第２のカードの挿入に伴いカード挿入方向に移動可能に配設された第２のスライド部材と、この第２のスライド部材をカード排出方向に付勢する第２の復帰ばねと、この第２の復帰ばねの付勢力に抗して前記第２のスライド部材をカード挿着位置に保持する第２のハート型カム溝及びこの第２のハート型カム溝と係合する第２の係合ピンとからなり、前記第２の係合ピンは前記ハウジングに前記第２のスライド部材の前後方向に一端側が軸支されて配設され、前記第１のカード収納部を前記第２のカード収納部よりも奥行き長さを短く形成すると共に、前記第１のカード排出手段と前記第２のカード排出手段を、カード挿入方向に向かって左右位置に並設し、前記第１のカード収納部の後方でかつ前記第２のカードの収納部の後端部までの範囲内に配設したことを特徴とするカード用コネクタ装置。
【請求項２】
前記第１のカードは、前記第２のカードよりもカード挿入方向の長さが短いものとされ、前記第１のカード収納部に挿着される前記第１のカードと、前記第２のカード収納部に挿着される前記第２のカードとは、前記ハウジングからのカード挿着時の突出量がそれぞれ同一となるように形成したことを特徴とする請求項１記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった。このため、色々な種類のメモリーカードを使用したい場合には、それぞれのメモリーカード専用のカード用コネクタ装置を準備する必要があった。
【０００５】
【発明が解決しようとする課題】
しかしながら、一つのカード用コネクタ装置に２枚のカードを挿着したい場合があり、２枚のカードを上下に重ね合わせた状態で挿着するのではなく、２枚のカードを横に並べた状態で挿着して薄型化を図りたいという要望がある。この場合、単に２枚のカードを横に並べるだけでは、排出機構を構成しているそれぞれのスライド部材が横に並べられることになり、横幅寸法が大きくなってしまうという問題があった。
【０００６】
したがって、本発明では上述した問題点を解決し、排出機構を備えるカード用コネクタ装置であって、２枚のカードを横に並べて挿着可能な構成であると共に、横幅寸法を小さくすることができるカード用コネクタ装置を提供することを目的とする。
【０００７】
【課題を解決するための手段】
上記課題を解決するために本発明では第１の手段として、長さの短い第１のカードが挿着可能な第１のカード収納部と、この第１のカード収納部と横方向に並設され、第１のカードより長さの長い第２のカードが挿着可能な第２のカード収納部とを有するハウジングと、このハウジングに設けられ、前記第１のカード収納部に挿着された第１のカードを排出させる第１のカード排出手段と、前記第２のカード収納部に挿着された第２のカードを排出させる第２のカード排出手段とを備え、前記第１のカード排出手段は、第１のカードの挿入に伴いカード挿入方向に移動可能に配設された第１のスライド部材と、この第１のスライド部材をカード排出方向に付勢する第１の復帰ばねと、この第１の復帰ばねの付勢力に抗して前記第１のスライド部材をカード挿着位置に保持する第１のハート型カム溝及びこの第１のハート型カム溝と係合する第１の係合ピンとからなり、前記第１のハート型カム溝は前記ハウジングに前記第１のスライド部材の側方に並列して配設され、前記第２のカード排出手段は、第２のカードの挿入に伴いカード挿入方向に移動可能に配設された第２のスライド部材と、この第２のスライド部材をカード排出方向に付勢する第２の復帰ばねと、この第２の復帰ばねの付勢力に抗して前記第２のスライド部材をカード挿着位置に保持する第２のハート型カム溝及びこの第２のハート型カム溝と係合する第２の係合ピンとからなり、前記第２の係合ピンは前記ハウジングに前記第２のスライド部材の前後方向に一端側が軸支されて配設され、前記第１のカード収納部を前記第２のカード収納部よりも奥行き長さを短く形成すると共に、前記第１のカード排出手段と前記第２のカード排出手段を、カード挿入方向に向かって左右位置に並設し、前記第１のカード収納部の後方でかつ前記第２のカードの収納部の後端部までの範囲内に配設したことを特徴とする。
【０００９】
また、第２の手段として、前記第１のカードは、前記第２のカードよりもカード挿入方向の長さが短いものとされ、前記第１のカード収納部に挿着される前記第１のカードと、前記第２のカード収納部に挿着される前記第２のカードとは、前記ハウジングからのカード挿着時の突出量がそれぞれ同一となるように形成したことを特徴とする。
【００１０】
【発明の実施の形態】
以下、本発明の実施形態を図１乃至図１２に示す。図１はカード用コネクタ装置の平面図、図２は同じくカバーを除いた状態の平面図、図３は第１のカードの平面図、図４は同じく底面図、図５は第２のカードの平面図、図６は同じく底面図、図７は第１及び第２のカードの排出時のカード用コネクタ装置の平面図、図８は第１のカードのみ挿着時のカード用コネクタ装置の平面図、図９は第２のカードのみ挿着時のカード用コネクタ装置の平面図、図１０は第１及び第２のカード両方の挿着時のカード用コネクタ装置の平面図である。
【００１１】
図１及び図２において、ハウジング１は、合成樹脂などの絶縁材で前方及び上方が開口された箱形に形成されており、このハウジング１の左側は奥行きがやや短めの方形状に形成され、右側はこれよりも奥行きが長めの方形状に形成されて、全体として略逆Ｌ字状に連設された形状となっている。
【００１２】
前記ハウジング１の左側の方形部には、前方及び上方が開口された第１のカード収納部１ａが設けられており、この第１のカード収納部１ａに連続してハウジング１の前面まで延びる第１のカード挿入部１ｂが形成されている。また、前記ハウジング１の右側の方形部には、前方及び上方が開口された第２のカード収納部１ｃが設けられており、この第２のカード収納部１ｃに連続してハウジング１の前面まで延びる第２のカード挿入部１ｄが形成されている。すなわち、前記第１のカード収納部１ａと、前記第２のカード収納部１ｃとは横方向に並列して形成されたものとなっている。
【００１３】
また、前記ハウジング１の略中央で、前記第１のカード収納部１ａの後方には、後述する第１のカード１２を排出する第１のスライド部材５が摺動する第１の摺動部１ｅと、後述する第２のカード１３を排出する第２のスライド部材８が摺動する第２の摺動部１ｆとがそれぞれ形成されている。この場合、前記第１の摺動部１ｅはカード挿入方向に向かって左側に、そして前記第２の摺動部１ｆはカード挿入方向に向かって右側となるように左右位置にそれぞれ並設されたものとなっている。
【００１４】
また、前記第１の摺動部１ｅの後端部（カードの挿入方向側）には、後述する第１の復帰ばね７を収容する第１のばね収容部１ｇが設けられており、この第１のばね収容部１ｇの後端内側面が第１の復帰ばね７の一端側が当接する当接部となっている。また、前記第２の摺動部１ｆの後端部（カードの挿入方向側）には、後述する第２の復帰ばね１０を収容する第２のばね収容部１ｈが設けられており、この第２のばね収容部１ｈの後端内側面が第２の復帰ばね１０の一端側が当接する当接部となっている。
【００１５】
また、前記第１の摺動部１ｅの側方には、複数の斜面や平面からなる環状の第１のハート型カム溝１ｉが並列して形成されており、また、前記第２の摺動部１ｆの前方（カードの排出方向側）には、後述する第２の係合ピン９の一端側が回動可能に軸支される軸孔１ｊが形成されている。
【００１６】
前記第１のカード収納部１ａには、導電性の金属材からなる第１のコネクタ端子３が複数個並設されている。前記第１のコネクタ端子３は、前記第１のカード収納部１ａの略中央位置に配設されており、平板状の基部と、この基部から互いに対向する方向へ略Ｚ字状に屈曲されて形成された接続片３ａ及び接触片３ｂとから形成されている。前記第１のコネクタ端子３は、一端側に形成された前記接続片３ａが、前記第１のカード収納部１ａの底面部に設けられた第１の開口部１ｋから外方へ表出して配設されており、この接続片３ａが電子機器などの外部の回路基板上の回路パターンと半田付けされて固着されることで信号の伝送が行われるものとなる。
【００１７】
また、前記第１のコネクタ端子３の基部の他端側に形成された前記接触片３ｂが、前記第１のカード収納部１ａの底面部に設けられた第２の開口部１ｌから前記第１のカード収納部１ａ内に突出して配設されたものとなっている。また、前記接触片３ｂの先端側には、後述する第１のカード１２の接触端子部１２ａに接続される接点部が形成されている。
【００１８】
前記第２のカード収納部１ｃには、導電性の金属材からなる第２のコネクタ端子４が複数個並設されている。前記第２のコネクタ端子４は、前記第２のカード収納部１ｃの後端部（カード挿入方向側）で、前記第１のコネクタ端子３の配設位置よりも奥方に配設されており、平板状の基部と、この基部から互いに対向する方向へ屈曲されて形成された接続片４ａ及び接触片４ｂとから形成されている。前記第２のコネクタ端子４は、一端側に形成された前記接続片４ａが、前記ハウジング１の後面部から外方へ突出して配設されており、この接続片４ａが電子機器などの外部の回路基板上の回路パターンと半田付けされて固着されることで信号の伝送が行われるものとなる。
【００１９】
また、前記第２のコネクタ端子４の基部の他端側に延出して形成された前記接触片４ｂが、前記第２のカード収納部１ｃ内に突出して配設されたものとなっている。また、前記接触片４ｂの先端側には、後述する第２のカード１３の接触端子部１３ａに接続される接点部が形成されている。
【００２０】
また、前記第１のカード収納部１ａの両側面には、後述する第１のカード１２の側面部を案内する一対の挿入ガイド部１ｍが形成されており、また、同じく前記第２のカード収納部１ｃの両側面には、後述する第２のカード１３の側面部を案内する一対の挿入ガイド部１ｎが形成されている。
【００２１】
第１のスライド部材５は、合成樹脂などの絶縁材から略逆Ｌ字状に形成されており、長方形状の基部５ａと、この基部５ａの後端側に交差する方向に延設されたカード受け部５ｂとを有している。このカード受け部５ｂは、前記ハウジング１の第１のカード収納部１ａ内に突出されており、前記第１のカード収納部１ａに挿入される後述する第１のカード１２の前端縁と当接して前記第１のスライド部材５をカードの挿入方向へ移動させるものとなっている。
【００２２】
また、前記カード受け部５ｂの中央上部側には、後述する第１の係合ピン６の一端側が回動可能に軸支される軸孔５ｃが形成されており、また、前記基部５ａの後端側には、前記第１のばね収容部１ｇに収容される、後述する第１の復帰ばね７の一端側が係止されるばね当接部が設けられている。
【００２３】
第１の係合ピン６は、金属線材から形成されており、その両端が下方に折り曲げられて、その一端側が前記第１のスライド部材５のカード受け部５ｂに設けられた前記軸孔５ｃに回動可能に軸支され、他端側が前記第１の摺動部１ｅの側方に設けられた前記第１のハート型カム溝１ｉに摺動することで、前記第１のスライド部材５がカードの挿着位置にロックされ、また排出位置に移動されるものとなっている。
【００２４】
第１の復帰ばね７は、線材をコイル状に巻回して形成された圧縮ばねからなり、この圧縮ばねの一端側が前記第１のスライド部材５のばね当接部に係止され、他端側が前記ハウジング１の第１のばね収容部１ｇの後端内側面の当接部に係止されている。そして、前記第１の復帰ばね７の付勢力によって前記第１のスライド部材５はカードの排出方向へ付勢されるものとなっている。この時、前記第１の係合ピン６と前記第１のハート型カム溝１ｉとの協同によって前記第１のスライド部材５は、前記第１の復帰ばね７の付勢力に抗してカードの挿着位置に保持されるものとなっている。
【００２５】
このように、前記第１のスライド部材５、前記第１のハート型カム溝１ｉ、前記第１の係合ピン６、前記第１の復帰ばね７の構成で、前記第１のカード収納部１ａに挿着された第１のカード１２を排出させる第１のカード排出手段を構成するものとなっている。
【００２６】
第２のスライド部材８は、同じく合成樹脂などの絶縁材から略逆Ｌ字状に形成されており、長方形状の基部８ａと、この基部８ａの先端側に交差する方向に延設されたカード受け部８ｂとを有している。このカード受け部８ｂは、前記ハウジング１の第２のカード収納部１ｃ内に突出されており、前記第２のカード収納部１ｃに挿入される後述する第２のカード１３の前端縁と当接して前記第２のスライド部材８をカードの挿入方向へ移動させるものとなっている。
【００２７】
また、前記基部８ａの上面側には、複数の斜面や平面からなる環状の第２のハート型カム溝８ｃが形成されており、また、前記基部８ａの下面側には、前記ハウジング１の第２のばね収容部１ｈに収容される、後述する第２の復帰ばね１０の一端側が当接されるばね当接部が設けられている。
【００２８】
第２の係合ピン９は、同じく金属線材から形成されており、その両端が下方に折り曲げられて、その一端側が前記ハウジング１の前記第２の摺動部１ｆの前方に設けられた前記軸孔１ｊに回動可能に軸支され、他端側が前記第２のスライド部材８に設けられた前記第２のハート型カム８ｃに摺動することで、前記第２のスライド部材８がカードの挿着位置にロックされ、また排出位置に移動されるものとなっている。
【００２９】
第２の復帰ばね１０は、線材をコイル状に巻回して形成された圧縮ばねからなり、この圧縮ばねの一端側が前記第２のスライド部材８のばね当接部に係止され、他端側が前記ハウジング１の第２のばね収容部１ｈの後端内側面の当接部に係止されている。そして、前記第２の復帰ばね１０の付勢力によって前記第２のスライド部材８はカードの排出方向へ付勢されるものとなっている。この時、前記第２の係合ピン９と前記第２のハート型カム溝８ｃとの協同によって前記第２のスライド部材８は、前記第２の復帰ばね１０の付勢力に抗してカードの挿着位置に保持されるものとなっている。
【００３０】
このように、前記第２のスライド部材８、前記第２のハート型カム溝８ｃ、前記第２の係合ピン９、前記第２の復帰ばね１０の構成で、前記第２のカード収納部１ｃに挿着された第２のカード１３を排出させる第２のカード排出手段を構成するものとなっている。
【００３１】
上記構成では、第１のカード１２と第２のカード１３のそれぞれを排出する、第１及び第２のカード排出手段として、前記第１及び第２のスライド部材５、８と、前記第１及び第２の復帰ばね７、１０と、前記第１及び第２のハート型カム溝１ｉ、８ｃと、前記第１及び第２の係合ピン６、９とからなるプッシュロック機構で構成するようにしてあるので、それぞれのカードを、カード挿着位置から一旦押圧することによって確実にカードを排出させることができるため、カードの取り出しが容易に行えるものとなっている。
【００３２】
また、第１及び第２の排出手段を、第２のカード１３より長さの短い第１のカード１２が挿着される、前記ハウジング１の前記第１のカード収納部１ａの後方であるデットスペースに配設するようにしたので、前記第１のカード収納部１ａと前記第２のカード収納部１ｃとを横方向に極力近づけて並べて配置させることができるため、前記ハウジング１の横幅寸法を極力小さくすることができるものとなっている。
【００３３】
カバー部材１１は、導電性の金属板から形成されており、前記ハウジング１の上面側の開口部を覆うように、前記ハウジング１の上面側に取り付けられている。また、このカバー部材１１の中央部には、切り曲げることにより前記第１のスライド部材５、及び前記ハウジング１の前記軸孔５ｃ、１ｊに軸支された前記第１、及び第２の係合ピン６、９を付勢して、前記ハウジング１、及び前記第２のスライド部材８に設けられた前記第１、及び第２のハート型カム溝１ｉ、８ｃと摺接させるための第１、及び第２の付勢ばね片１１ａ、１１ｂが前記第１、及び第２のロックピン６、９に対応した位置に形成されている。
【００３４】
尚、このカバー部材１１は前記ハウジング１の第１、及び第２のカード収納部１ａ、１ｃに配設された前記第１、及び第２のコネクタ端子３、４の上面を覆うように形成されており、外部からの輻射ノイズ等の侵入を防止するシールド板の役目も果たしている。
【００３５】
図３、図４において、第１のカード１２は、内部に集積回路（ＩＣ）が収納されており、記録媒体として広く使用されているものである。この第１のカード１２の一表面には、その一端側に複数の接触端子部１２ａが形成されており、この接触端子部１２ａが前記ハウジング１の第１のカード収納部１ａに配設された前記第１のコネクタ端子３の接触片３ｂと接触することにより、外部に接続された電子機器との種々の情報処理が行われるものとなっている。また、前記第１のカード１２には、前記接触端子部１２ａの形成側のその一隅部に、斜面状の切り欠き部１２ｂが設けられている。
【００３６】
前記第１のカード１２が前記第１のカード収容部１ａに挿入された時、カードの前縁部が前記第１のスライド部材５のカード受け部５ｂと係合することによって、前記第１のスライド部材５が前記第１のカード１２の挿入に伴って挿入方向へ移動可能となるように形成されている。
【００３７】
また、前記第１のカード１２の一側面部には、カードの書き込み禁止を示す識別部である凹溝部１２ｃが形成され、この凹溝部１２ｃにはスライド可能な識別子１２ｄが設けられている。この識別子１２ｄをスライド移動させることにより、前記凹溝部１２ｃの位置を変更することができ、この位置に応じてカードへの書き込みの可否を変更することが可能となっている。
【００３８】
図５、図６において、第２のカード１３は、内部に集積回路（ＩＣ）が収納されており、記録媒体として広く使用されているものである。この第２のカード１３の一表面には、その一端側に複数の接触端子部１３ａが形成されており、この接触端子部１３ａが前記ハウジング１の第２のカード収納部１ｃに配設された前記第２のコネクタ端子４の接触片４ｂと接触することにより、外部に接続された電子機器との種々の情報処理が行われるものとなっている。また、前記第２のカード１３の一端部には傾斜面からなる切り欠き部１３ｂが形成されている。
【００３９】
前記第２のカード１３が前記第２のカード収容部１ｃに挿入された時、前記第２のカード１３の前縁部が前記第２のスライド部材８のカード受け部８ｂに当接することによって、前記第２のスライド部材８が前記第２のカード１３の挿入に伴って挿入方向へ移動可能となるように形成されている。
【００４０】
尚、前記第２のカード１３は略長方体状に形成されており、前記第１のカード１２に比較して、挿入方向の長さが前記第１のカード１２よりも長く長尺状に形成されたものとなっている。
【００４１】
また、前記ハウジング１の第２のカード収納部１ｃに配設された前記第２のコネクタ端子４の配設位置は、前記第１のカード収納部１ａに配設された前記第１のコネクタ端子３の配設位置よりもカード挿入方向の奥方へ形成されており、前記ハウジング１に挿着された前記第１のカード１２の後縁部と、前記ハウジング１に挿着された前記第２のカード１３の後縁部との突出位置が略同一となるように形成してあるので、長さの異なる２種類のカードを、同一のコネクタ装置に挿入／排出する場合においても、それぞれのカードの突出量が同じになるため、操作性や、使い勝手が良好となっている。
【００４２】
次に、図７乃至図１０を用いて前記第１のカード１２、及び第２のカード１３をコネクタ装置に挿入する場合の動作を説明する。
【００４３】
まず、初期の状態、すなわち前記第１のカード１２、及び第２のカード１３が排出位置にある場合には、前記第１のスライド部材５、及び第２のスライド部材８は前記第１の復帰ばね７、及び第２の復帰ばね１０の付勢力によりカードの排出方向へ付勢されており、前記第１のカード１２の接触端子部１２ａ、及び第２のカード１３の接触端子部１３ａは、前記第１のコネクタ端子３の接触片３ｂ、及び第２のコネクタ端子４の接触片４ｂとは離間している。（図７）
【００４４】
次に、前記第１のカード１２をカードの挿入方向へ押圧してやると、前記第１のカード１２の前縁部が、前記第１のスライド部材５のカード受け部５ｂと係合することによって、前記第１のスライド部材５が前記第１のカード１２の挿入に伴って挿入方向へ移動可能となり、前記第１の復帰ばね７の付勢力に抗して前記第１のスライド部材５がカードの挿入方向へ移動して、前記第１の係合ピン６の一端部が前記第１のハート型カム溝１ｉをトレースしてロック位置にロックされる。（図８）
【００４５】
この時、前記第１のカード１２の接触端子部１２ａと前記第１のコネクタ端子３の接触片３ｂが接触するものとなる。
【００４６】
前記第１のカード１２の代わりに、前記第２のカード１３をカードの挿入方向へ押圧してやると、前記第２のカード１３の前縁部が、前記第２のスライド部材８のカード受け部８ｂと係合することによって、前記第２のスライド部材８が前記第２のカード１３の挿入に伴って挿入方向へ移動可能となり、前記第２の復帰ばね１０の付勢力に抗して前記第２のスライド部材８がカードの挿入方向へ移動して、前記第２の係合ピン９の一端部が前記第２のハート型カム溝８ｃをトレースしてロック位置にロックされる。（図９）
【００４７】
この時、前記第２のカード１３の接触端子部１３ａと前記第２のコネクタ端子４の接触片４ｂが接触するものとなる。
【００４８】
図１０は、前記第１のカード１２と、前記第２のカード１３とが同時に挿着された状態を示している。この場合に、前記第２のカード１３は略長方体状に形成されており、前記第１のカード１２に比較して、挿入方向の長さが前記第１のカード１２よりも長く長尺状に形成されたものとなっているが、前記第２のコネクタ端子４の配設位置は、前記第１のコネクタ端子３の配設位置よりもカード挿入方向の奥方へ形成されていることから、前記第１のカード１２の後縁部と、前記第２のカード１３の後縁部との突出位置が略同一となるようになっている。
【００４９】
なお、上記実施例では、前記第１のカード収納部１ａの後方に、第１のカード排出手段と第２のカード排出手段の両方を配設する構成としたが、前記第１のカード収納部１ａの後方には、第１のカード排出手段だけを配設し、第２のカード排出手段は前記第２のカード収納部１ｃの側方に配設する構成、あるいは、前記第１のカード収納部１ａの後方には、第２のカード排出手段だけを配設し、第１のカード排出手段は前記第１のカード収納部１ａの側方に配設した構成であってもよい。
【００５０】
上記構成によれば、前記第１のカード収納部１ａと前記第２のカード収納部１ｃを横方向に並列して形成し、前記第１のカード収納部１ａを前記第２のカード収納部１ｃよりも奥行き長さを短く形成すると共に、前記第１のカード収納部１ａの後方に、第１のカード排出手段と第２のカード排出手段のうち少なくとも一方、あるいは両方を配設するようにしたことから、２枚のカードを横に並べて挿着可能なコネクタ装置においても、前記第２のカード１３より長さの短い前記第１のカード１２が挿着される前記第１のカード収納部１ａの後方、すなわちデットスペースを利用して、第１のカード排出手段と第２のカード排出手段の少なくとも一方、あるいは両方を配設するようにしたので、ハウジングの横幅寸法を小さくできるため、コネクタ装置全体の横幅寸法を小さくすることができるものとなっている。
【００５１】
【発明の効果】
以上説明したように、本発明のカード用コネクタ装置は、長さの短い第１のカードが挿着可能な第１のカード収納部と、この第１のカード収納部と横方向に並設され、第１のカードより長さの長い第２のカードが挿着可能な第２のカード収納部とを有するハウジングと、このハウジングに設けられ、第１のカード収納部に挿着された第１のカードを排出させる第１のカード排出手段と、第２のカード収納部に挿着された第２のカードを排出させる第２のカード排出手段とを備え、第１のカード収納部を第２のカード収納部よりも奥行き長さを短く形成すると共に、第１のカード排出手段と第２のカード排出手段を、カード挿入方向に向かって左右位置に並設し、第１のカード収納部の後方でかつ第２のカードの収納部の後端部までの範囲内に配設したことから、２枚のカードを横に並べて挿着可能なコネクタ装置においても、第２のカードより長さの短い第１のカードが挿着される第１のカード収納部の後方、すなわちデットスペースに第１のカード排出手段と第２のカード排出手段を配設するようにしたので、ハウジングの横幅寸法を小さくできるため、コネクタ装置全体の横幅寸法を小さくすることができる。
【００５２】
また、第１のカード排出手段は、第１のカードの挿入に伴いカード挿入方向に移動可能に配設された第１のスライド部材と、この第１のスライド部材をカード排出方向に付勢する第１の復帰ばねと、この第１の復帰ばねの付勢力に抗して第１のスライド部材をカード挿着位置に保持する第１のハート型カム溝及びこの第１のハート型カム溝と係合する第１の係合ピンとからなり、第２のカード排出手段は、第２のカードの挿入に伴いカード挿入方向に移動可能に配設された第２のスライド部材と、この第２のスライド部材をカード排出方向に付勢する第２の復帰ばねと、この第２の復帰ばねの付勢力に抗して第２のスライド部材をカード挿着位置に保持する第２のハート型カム溝及びこの第２のハート型カム溝と係合する第２の係合ピンとからなることから、それぞれのカードを、カード挿着位置から一旦押圧することによって確実にカードを排出させることができるため、カードの取り出しが容易に行える。
【００５３】
また、第１のカードは、第２のカードよりもカード挿入方向の長さが短いものとされ、第１のカード収納部に挿着される第１のカードと、第２のカード収納部に挿着される第２のカードとは、ハウジングからのカード挿着時の突出量がそれぞれ同一となるように形成したことから、長さの異なる２種類のカードを同一のコネクタ装置に挿入／排出する場合においても、それぞれのカードの突出量が同じになるため、操作性や、使い勝手が良い。
【図面の簡単な説明】
【図１】本発明の実施形態であるカード用コネクタ装置を示す平面図である。
【図２】本発明の同じくカバーを除いた状態のカード用コネクタ装置を示す平面図である。
【図３】本発明の同じく第１のカードを示す平面図である。
【図４】本発明の同じく第１のカードを示す底面図である。
【図５】本発明の同じく第２のカードを示す平面図である。
【図６】本発明の同じく第２のカードを示す底面図である。
【図７】本発明の第１及び第２のカードの排出時のカード用コネクタ装置を示す平面図である。
【図８】本発明の第１のカードのみ挿着した状態のカード用コネクタ装置を示す平面図である。
【図９】本発明の第２のカードのみ挿着した状態のカード用コネクタ装置を示す平面図である。
【図１０】本発明の第１及び第２のカード両方の挿着時のカード用コネクタ装置を示す平面図である。
【符号の説明】
１  ハウジング
１ａ  第１のカード収納部
１ｂ  第１のカード挿入部
１ｃ  第２のカード収納部
１ｄ  第２のカード挿入部
１ｅ  第１の摺動部
１ｆ  第２の摺動部
１ｇ  第１のばね収容部
１ｈ  第２のばね収容部
１ｉ  ハート型カム溝
１ｊ  軸孔
１ｋ  第１の開口部
１ｌ  第２の開口部
１ｍ  挿入ガイド部
１ｎ  挿入ガイド部
３  第１のコネクタ端子
３ａ  接続片
３ｂ  接触片
４  第２のコネクタ端子
４ａ  接続片
４ｂ  接触片
５  第１のスライド部材
５ａ  基部
５ｂ  カード受け部
５ｃ  軸孔
６  第１の係合ピン
７  第１の復帰ばね
８  第２のスライド部材
８ａ  基部
８ｂ  カード受け部
８ｃ  ハート型カム溝
９  第２の係合ピン
１０  第２の復帰ばね
１１  カバー部材
１１ａ  第１の付勢ばね片
１１ｂ  第２の付勢ばね片
１２  第１のカード
１２ａ  接触端子部
１２ｂ  切り欠き部
１２ｃ  凹溝部
１２ｄ  識別子
１３  第２のカード
１３ａ  接触端子部
１３ｂ  切り欠き部
【図１】
0003827582.tif 000002
【図２】
0003827582.tif 000003
【図３】
0003827582.tif 000004
【図４】
0003827582.tif 000005
【図５】
0003827582.tif 000006
【図６】
0003827582.tif 000007
【図７】
0003827582.tif 000008
【図８】
0003827582.tif 000009
【図９】
0003827582.tif 000010
【図１０】
0003827582.tif 000011